(57)【要約】【課題】  台風等により強風が吹き荒れた場合でも植生床（緑化基板）が吹き飛ばされることなく、植生床の形成場所を自由に変更できる緑化屋根を提供する。【解決手段】  屋根上面に複数の上下フレームを形成すると共に、各フレーム間に仕切フレームを適宜固定して、これら上下フレームと仕切フレームとによって囲まれる空間部に植生床を形成するようにした。【選択図】図３
0003123685.tif 000002
【実用新案登録請求の範囲】
【請求項１】
屋根上面に複数の上下フレームを形成すると共に、各フレーム間に仕切フレームを適宜固定金具を介して固定して、これら上下フレームと仕切フレームとによって囲まれる空間部に植生床を形成するようにした緑化屋根。
【請求項２】
前記上下フレームは左右の金属板の連結部分からなり、垂直に立設する上部を内部に防水テープを介在させて互いに折畳連結し、かつ左右の上下フレームの垂直に立設する角部を円弧状に形成した請求項１記載の緑化屋根。
【請求項３】
前記固定金具は上下フレームに上下フレーム上方でボルトにより固定し、仕切フレームは固定金具上面にボルトを介して固定するようにした請求項１記載の緑化屋根。
【考案の詳細な説明】
【考案の詳細な説明】
【技術分野】
【０００１】  本考案は金属等の板状材料を使用する屋根の上面に適宜植生床を形成するようにした緑化屋根に関するものである。
【背景技術】
【０００２】従来、例えば特開２００６−２５７６８公報には山部の稜線方向が斜めになるように傾斜させて設置した折板屋根の当該山部間に掛け渡して折板屋根の山部稜線方向と交差する方向に設置固定された複数の支持材と、これら支持材上に深溝及び浅溝を折板屋根の山部の稜線方向に沿わせて折板屋根を覆って設置され、当該折板屋根の谷部との間に適宜空間を隔てて緑化基板を支持する波板基板とを備えた折板屋根緑化システムが提供されている。【０００３】  そして、この発明によると折板屋根の耐久性を向上することが可能であると共に、植物及び室内に対する熱的環境を改善することも可能であり、さらに排水性能にも優れる折板屋根緑化システムを提供することができる旨が記載されている。【０００４】  しかしながら、この発明によると当該折板屋根の谷部との間に適宜空間を隔てて緑化基板を支持しているので、台風等により強風が吹き荒れた場合、空間内に風が侵入して緑化基板が吹き飛ばされるか、当該折板屋根と緑化基板の支持材との固定部分が破損する可能性が高い。
【考案が解決しようとする課題】
【０００５】  本考案においては、台風等により強風が吹き荒れた場合でも植生床（緑化基板）が吹き飛ばされることなく、植生床の形成場所を自由に変更できる緑化屋根を提供することを技術的課題とする。
【課題を解決する手段】
【０００６】  請求項１の考案は、屋根上面に複数の上下フレームを形成すると共に、各フレーム間に仕切フレームを適宜固定金具を介して固定して、これら上下フレームと仕切フレームとによって囲まれる空間部に植生床を形成するようにした緑化屋根を提供するものである。
【０００７】  この考案においては、植生床が上下フレームと仕切フレームとによって囲まれる空間部の屋根上面に直接形成されるので、台風等により強風が吹き荒れた場合でも植生床（緑化基板）が吹き飛ばされることなく、また仕切フレームを任意の場所に設置できるので、植生床の形成場所を自由に変更することが出来る。
【０００８】  請求項２の考案は、前記上下フレームは左右の金属板の連結部分からなり、垂直に立設する上部を内部に防水テープを介在させて互いに折畳連結し、かつ左右の上下フレームの垂直に立設する角部を円弧状に形成した請求項１記載の緑化屋根を提供するものである
【０００９】  この考案においては、前記上下フレームは左右の金属板の連結部分からなり、垂直に立設する上部を内部に防水テープを介在させて互いに折畳むので、内部に雨が浸透せず雨漏りの原因とならない。また左右の上下フレームの垂直に立設する角部を円弧状に形成しているので連結部の左右の曲げ強度を強固にすることができる。
【００１０】  請求項３の考案は、前記固定金具は上下フレームに上下フレーム上方でボルトにより固定し、仕切フレームは固定金具上面にボルトを介して固定するようにした請求項１記載の緑化屋根を提供するものである。
【００１１】  この考案においては、仕切フレームを上下フレームの固定する場合、折畳んだ連結部分にボルト孔を介して直接固定しないので、折畳んだ連結部内部に雨が浸透せず雨漏りの原因とならない。
【考案を実施するための最良の形態】
【００１２】  以下に本考案の一実施形態を図面に基づき説明する。図１は本考案の緑化屋根上面斜視図であり、屋根上面に複数の上下フレーム１・・・を形成すると共に、各フレーム１・・・間に仕切フレーム２・・・を適宜固定して、これら上下フレーム１・・・と仕切フレーム２・・・とによって囲まれる空間部３・・・に植生床Ａ・・・を形成するようにしている。【００１３】  図２ａ乃至図２ｃは上下フレームの連結部断面折畳み工程概略図であり、前記上下フレーム１・・・は左右の金属板の連結部分４・・・からなり、垂直に立設する上部５・・・を内部に防水テープ６・・・を介在させて互いに折畳連結し、かつ左右の上下フレーム１・・・の垂直に立設する角部を円弧状７・・・に形成している。【００１４】  また、図３は上下フレームと仕切フレームとの連結一部斜視図、図４は上下フレームと仕切フレームとを固定金具を介して連結した断面視図であり、前記固定金具１７・・・は上下フレーム１・・・に上下フレームの上方でボルト８・・・により固定している。したがって、上下フレーム１・・・にボルト孔を形成しないので上下フレーム１・・・の折畳内部に雨水が浸透しない。また、仕切フレーム２・・・は固定金具１７・・・上面にボルト９・・・を介して固定するようにしている。【００１５】  固定金具１７・・・は図に示すようなハサミ形状であり、上下フレーム１・・・の両側面を挟むようにしてボルト８・・・固定され、仕切フレーム２・・・はその固定された固定金具１７・・・上面にボルト９・・・を介して固定する。【００１６】  尚、上下フレーム１・・・上端は、屋根基材１０にボルト１１・・・により固定する垂直フレーム１２・・・の上端を上記と同様に互いに折畳連結して上下フレーム１・・・を屋根基材１０に固定している。図４中１３は、上下フレーム１・・・底面と仕切フレームとの間に形成し、屋根上方の植生床から流れる水を排出する隙間である。【００１７】  また、図示していないが、上記上下フレーム及び仕切フレームの上部全面に植生床からの根のはりを防止する耐根シートを敷き詰めると共に、さらにこの耐根シート上面に作業時のスコップ等による傷を防止する保護マットを設けるようにする。この保護マットは破水及び保湿効果を有する。
【考案の効果】
【００１８】  上記の如く本考案においては、植生床が上下フレームと仕切フレームとによって囲まれる空間部の屋根上面に直接形成されるので、台風等により強風が吹き荒れた場合でも植生床（緑化基板）が吹き飛ばされることなく、また仕切フレームを任意の場所に設置できるので、植生床の形成場所を自由に変更することが出来る。
【００１９】  また、前記上下フレームは左右の金属板の連結部分からなり、垂直に立設する上部を内部に防水テープを介在させて互いに折畳むので、内部に雨が浸透せず雨漏りの原因とならない。また左右の上下フレームの垂直に立設する角部を円弧状に形成しているので連結部の左右の曲げ強度分を強固にすることができる。
【００２０】  仕切フレームを上下フレームの固定する場合、折畳んだ連結部分にボルトを介して直接固定しないので、折畳んだ連結部内部に雨が浸透せず雨漏りの原因とならない等の項かがある。
【図面の簡単な説明】
【００２１】
【図１】緑化屋根上面斜視図
【図２ａ】上下フレームの連結部断面折畳み工程概略図
【図２ｂ】上下フレームの連結部断面折畳み工程概略図
【図２ｃ】上下フレームの連結部断面折畳み工程概略図
【図３】上下フレームと仕切フレームとの連結一部斜視図
【図４】上下フレームと仕切フレームとを固定金具を介して連結した断面視図
【符号の説明】
１・・・      上下フレーム
２・・・      仕切フレーム
３・・・      空間部
４・・・      連結部分
５・・・      連結部上部
６・・・      防水テープ
７・・・      円弧部
８・・・      ボルト
９・・・      ボルト
１７・・・      固定金具
Ａ・・・      植生床
【図１】
0003123685.tif 000003
【図２ａ】
0003123685.tif 000004
【図２ｂ】
0003123685.tif 000005
【図２ｃ】
0003123685.tif 000006
【図３】
0003123685.tif 000007
【図４】
0003123685.tif 000008